(57)【要約】      （修正有）【課題】後方滑走者の注意を従来より適切に引き付けることができるスノーボードを提供する。【解決手段】スノーボードは、ソール部材２１を有したボード２０と、ボード２０のノーズ２０ｃ側の接雪点２１ａとテール２０ｄ側の接雪点２１ｂとの間に配置されたＬＥＤ６０〜６９と、使用者の前足を固定するためにボード２０に固定された前足用のバインディングと、使用者の後足を固定するためにボード２０に固定された後足用のバインディングとを備え、ソール部材２１は、透光性であって、ＬＥＤ６０〜６９を覆い、ＬＥＤ６０〜６９は、ソール部材２１を介してボード２０の外部を照射する位置に配置されるとともに、前足用のバインディングと、後足用のバインディングとの間に配置されて前足用のバインディングと、後足用のバインディングとの間の幅を表示する。【選択図】図４
2007296155.tif 000002
【特許請求の範囲】
【請求項１】
透光性のソール部材を有した本体と、前記本体の滑走方向の前側の接雪点と滑走方向の後側の接雪点との間に配置されて電力によって発光する接雪点間発光装置とを備え、
前記接雪点間発光装置は、前記ソール部材に覆われた状態で前記本体に内蔵されて前記ソール部材を介して前記本体の外部を照射する位置に配置されたことを特徴とする雪上滑走用具。
【請求項２】
前記接雪点間発光装置は、前記本体の滑走方向の左右両側に配置されたことを特徴とする請求項１に記載の雪上滑走用具。
【請求項３】
前記接雪点間発光装置は、先端が前記ソール部材に埋まっていることを特徴とする請求項１に記載の雪上滑走用具。
【請求項４】
前記雪上滑走用具は、使用者の前足を固定するために前記本体に固定された前足用のバインディングと、前記使用者の後足を固定するために前記本体に固定された後足用のバインディングとを備えたスノーボードであり、
前記接雪点間発光装置は、前記前足用のバインディングと、前記後足用のバインディングとの間に配置されて前記前足用のバインディングと、前記後足用のバインディングとの間の幅を表示することを特徴とする請求項１に記載の雪上滑走用具。
【請求項５】
使用者の足を載せるための足載部を有し前記本体に固定されたバインディングと、前記足載部に配置されて前記接雪点間発光装置と電源との電気的な接続状態を切り替えるスイッチとを備え、
前記スイッチは、自身が押されていないときに前記接雪点間発光装置と前記電源との電気的な接続を切断することを特徴とする請求項１に記載の雪上滑走用具。
【請求項６】
前記雪上滑走用具は、スノーボードであり、
前記バインディングは、後足用であることを特徴とする請求項５に記載の雪上滑走用具。
【請求項７】
前記雪上滑走用具は、使用者の足を固定するために前記本体に固定されたバインディングと、前記バインディングから外された前記使用者の後足を載せるためのデッキパッドと、前記電力を発生させるための太陽電池とを備えたスノーボードであり、
前記デッキパッドは、前記太陽電池を覆う位置に前記本体に対して取り外し可能であることを特徴とする請求項１に記載の雪上滑走用具。
【発明の詳細な説明】
【技術分野】
【０００１】
本発明は、雪上を滑走するために使用される雪上滑走用具に関する。
【背景技術】
【０００２】
吹雪きや霧が発生したときやナイターのときなどのように視界が悪いとき、雪上滑走用具を使用して滑走している者のうち前方の者（以下「前方滑走者」という。）に後方の者（以下「後方滑走者」という。）が気付き難いので、前方滑走者の滑走速度より後方滑走者の滑走速度が速い場合に前方滑走者と、後方滑走者との接触事故が起こることがあった。
【０００３】
このような接触事故を防止する方法として、前方滑走者の雪上滑走用具を発光させることによって、後方滑走者の注意を前方滑走者に引き付けるということが考えられる。
【０００４】
従来、発光する雪上滑走用具として、内蔵されたＬＥＤ（Ｌｉｇｈｔ  Ｅｍｉｔｔｉｎｇ  Ｄｉｏｄｅ）によって表面を発光させるスキー板（例えば、特許文献１参照。）や、電灯ユニットが表や裏などに取り付けられるスノーボード（例えば、特許文献２参照。）や、蓄光性の塗料によって表や裏に図柄が描かれたスノーボード（例えば、特許文献３、４参照。）が知られている。
【特許文献１】特開平５−１７７０２７号公報
【特許文献２】特開２００３−１９０３５６号公報
【特許文献３】実用新案登録第３０２９３６４号公報
【特許文献４】特開平１０−２１６２９６号公報
【発明の開示】
【発明が解決しようとする課題】
【０００５】
しかしながら、図１０に示すように、特許文献１に記載されたスキー板２１１においては、前方滑走者２１０に使用される場合、表面２１１ａから発せられた光が前方滑走者２１０や後方滑走者２２０の目に直接入る可能性があるため、前方滑走者２１０と、後方滑走者２２０との接触事故の防止には適していないという問題があった。
【０００６】
視界が悪く広いスキー場などにおいては、スキー板２１１から発せられる光は、弱いと後方滑走者２２０に視認され難いので、強い必要がある。前方滑走者２１０のスキー板２１１の表面２１１ａから発せられた強い光を後方滑走者２２０が直視した場合には、後方滑走者２２０の視力が一時的に落ちるので、後方滑走者２２０が前方滑走者２１０を適切に視認することができない。また、前方滑走者２１０のスキー板２１１の表面２１１ａから発せられた光を後方滑走者２２０が見ないようにした場合には、当然に後方滑走者２２０が前方滑走者２１０を適切に視認することができない。後方滑走者２２０は、前方滑走者２１０を適切に視認することができない場合、前方滑走者２１０との接触を適切に避けることが容易ではない。
【０００７】
更に、前方滑走者２１０のスキー板２１１の表面２１１ａから発せられた強い光は前方滑走者２１０の目にも入るので、前方滑走者２１０は、自身が使用しているスキー板２１１の表面２１１ａから発せられた強い光によって周囲を視認し難い。前方滑走者２１０は、周囲を視認し難いとき、後方滑走者２２０にとって予期することができない動きをしてしまう場合がある。したがって、後方滑走者２２０は、前方滑走者２１０との接触を適切に避けることが益々容易ではない。
【０００８】
なお、図１０において、白抜きの矢印は、スキー板２１１の表面２１１ａから発せられた光を表している。
【０００９】
雪上を滑走する場合には雪の斜面を滑り降りることが通常であるので、後方滑走者は、前方、即ち、下方を見ていることが殆どであり、前方滑走者の雪上滑走用具の裏面を視認する機会が殆どない。特許文献２に記載されたスノーボードは、裏に電灯ユニットが取り付けられて前方滑走者によって使用される場合、裏から発せられた光が後方滑走者の目に直接ではなく雪面で反射されてから入るので、特許文献１に記載されたスキー板と比較して、前方滑走者と、後方滑走者との接触事故の防止に適している。
【００１０】
ところで、特許文献２に記載されたスノーボードは、使用者がターンする度に雪に覆われたり覆われなくなったりする部分、即ち、滑走時に雪に接する部分（以下「接雪部」という。）に電灯ユニットが取り付けられると接雪部に凹凸が生じて滑走の支障になってしまうので、接雪部に電灯ユニットが取り付けられることができず、前端部又は後端部に電灯ユニットが取付けられることになる。スノーボードの裏の前端部又は後端部に電灯ユニットが取付けられる場合、電灯ユニットから発せられて雪面で反射した光が常に後方滑走者に視認されることになる。したがって、特許文献２に記載されたスノーボードにおいては、変化が無く単調な光に後方滑走者が慣れてしまい、後方滑走者が前方滑走者に注意を払わなくなってしまう場合があるという問題があった。
【００１１】
また、特許文献３、４に記載されたスノーボードにおいては、使用者がターンする度に雪に覆われたり覆われなくなったりする接雪部に発光する図柄が描かれているものの、蓄光塗料では光量が弱いので、雪面で反射した蓄光塗料の光に後方滑走者が気付かないという問題があった。
【００１２】
本発明は、従来の問題を解決するためになされたもので、後方滑走者の注意を従来より適切に引き付けることができる雪上滑走用具を提供することを目的とする。
【課題を解決するための手段】
【００１３】
本発明の雪上滑走用具は、透光性のソール部材を有した本体と、前記本体の滑走方向の前側の接雪点と滑走方向の後側の接雪点との間に配置されて電力によって発光する接雪点間発光装置とを備え、前記接雪点間発光装置は、前記ソール部材に覆われた状態で前記本体に内蔵されて前記ソール部材を介して前記本体の外部を照射する位置に配置されたことを特徴とする。
【００１４】
この構成により、本発明の雪上滑走用具は、使用者がターンする度に雪に覆われたり覆われなくなったりする接雪部に蓄光塗料と比較して光量を大きくすることができる接雪点間発光装置が設けられているので、変化に富んだ照明によって後方滑走者の注意を従来より適切に引き付けることができる。なお、接雪点間発光装置は、ソール部材に覆われているので、接雪部に設けられていても滑走の支障になることはない。
【００１５】
また、本発明の雪上滑走用具の前記接雪点間発光装置は、前記本体の滑走方向の左右両側に配置されたことを特徴とする。
【００１６】
この構成により、本発明の雪上滑走用具は、本体の滑走方向の左側に配置された接雪点間発光装置と、本体の滑走方向の右側に配置された接雪点間発光装置とによって使用者がターンする度に交互に照明を行うので、本体の滑走方向の左右何れかの側にしか接雪点間発光装置が配置されていない構成と比較して、後方滑走者の注意を強く引き付けることができる。
【００１７】
また、本発明の雪上滑走用具の前記接雪点間発光装置は、先端が前記ソール部材に埋まっていることを特徴とする。
【００１８】
この構成により、本発明の雪上滑走用具は、接雪点間発光装置の先端の側面からもソール部材を介して外部に照射することができるので、先端がソール部材に埋まっていない構成と比較して、接雪点間発光装置による照射範囲を拡げることができ、後方滑走者の注意を強く引き付けることができる。
【００１９】
また、本発明の雪上滑走用具は、使用者の前足を固定するために前記本体に固定された前足用のバインディングと、前記使用者の後足を固定するために前記本体に固定された後足用のバインディングとを備えたスノーボードであり、前記接雪点間発光装置は、前記前足用のバインディングと、前記後足用のバインディングとの間に配置されて前記前足用のバインディングと、前記後足用のバインディングとの間の幅を表示することを特徴とする。
【００２０】
この構成により、本発明の雪上滑走用具は、前足用のバインディングと、後足用のバインディングとの間の幅から使用者の体の幅を後方滑走者に認識させることができるので、後方滑走者が霧などによって使用者の体を直接視認することができないときであっても後方滑走者に使用者の体への衝突を防止させることができる。
【００２１】
また、本発明の雪上滑走用具は、使用者の足を載せるための足載部を有し前記本体に固定されたバインディングと、前記足載部に配置されて前記接雪点間発光装置と電源との電気的な接続状態を切り替えるスイッチとを備え、前記スイッチは、自身が押されていないときに前記接雪点間発光装置と前記電源との電気的な接続を切断することを特徴とする。
【００２２】
この構成により、本発明の雪上滑走用具は、使用者が滑走していないときなど、使用者がバインディングから足を外しているときに接雪点間発光装置に電力が供給されないので、消費電力を抑えることができる。
【００２３】
また、本発明の雪上滑走用具は、スノーボードであり、前記バインディングは、後足用であることを特徴とする。
【００２４】
この構成により、本発明の雪上滑走用具は、スノーボードであるので、使用者がリフトに乗るときなど使用者が雪上を滑り降りないときにバインディングから使用者の後足が外される。したがって、本発明の雪上滑走用具は、使用者がリフトに乗るときもバインディングから使用者の足が外されないスキーと比較して、消費電力を効果的に抑えることができる。
【００２５】
また、本発明の雪上滑走用具は、使用者の足を固定するために前記本体に固定されたバインディングと、前記バインディングから外された前記使用者の後足を載せるためのデッキパッドと、前記電力を発生させるための太陽電池とを備えたスノーボードであり、前記デッキパッドは、前記太陽電池を覆う位置に前記本体に対して取り外し可能であることを特徴とする。
【００２６】
この構成により、本発明の雪上滑走用具は、太陽電池がデッキのデザインに影響することを防止することができる。
【発明の効果】
【００２７】
本発明によれば、後方滑走者の注意を従来より適切に引き付けることができる雪上滑走用具を提供することができる。
【発明を実施するための最良の形態】
【００２８】
以下、本発明の一実施の形態について、図面を用いて説明する。
【００２９】
まず、本実施の形態に係る雪上滑走用具の構成について説明する。
【００３０】
図１に示すように、本実施の形態に係る雪上滑走用具としてのスノーボード１０は、本体であるボード２０と、使用者の後足のブーツを載せるための足載部３０ａを有しボード２０に固定された後足用のバインディング３０と、ボード２０に固定された前足用のバインディング４０と、バインディング３０から外された使用者の後足のブーツを載せるためのデッキパッド５０とを備えている。
【００３１】
また、スノーボード１０は、図２に示すように、電力によって発光するＬＥＤ６０〜７１と、ＬＥＤ６０〜７１のそれぞれに取り付けられてＬＥＤ６０〜７１の発熱による光量の低下を防止するための放熱板８０〜９１と、電力を発生させるための太陽電池１００（図３参照。）と、太陽電池１００によって発生させられた電力を蓄える充電器１１０と、バインディング３０（図１参照。）の足載部３０ａ（図１参照。）に配置されてＬＥＤ６０〜７１と充電器１１０との電気的な接続状態を切り替えるスイッチ１２０（図１参照。）と、ＬＥＤ６０〜７１、充電器１１０及びスイッチ１２０を電気的に接続する電線１３０と、電線１３０にそれぞれ電気的に接続された電極１４１、１４２とを備えている。ここで、太陽電池１００及び充電器１１０は、電源を構成している。
【００３２】
なお、ＬＥＤ６０〜７１、放熱板８０〜９１、電線１３０は、ボード２０の製造工程においてボード２０の内部に組み込まれても良いし、ボード２０の製造後にボード２０に穴を開けるなどしてボード２０の内部に組み込まれても良い。
【００３３】
図４に示すように、ボード２０は、透光性の乳白色のソール部材２１と、ソール部材２１に重ねられた芯材２２と、芯材２２に重ねられたデッキ部材２３と、バインディング３０、４０（図１参照。）に固定されるブーツの爪先側、即ち、滑走方向の左側のエッジである左側エッジ２４と、バインディング３０、４０に固定されるブーツの踵側、即ち、滑走方向の右側のエッジである右側エッジ２５とを有しており、前足用のバインディング４０が固定されるための８つのインサートホール２０ａと、後足用のバインディング３０が固定されるための８つのインサートホール２０ｂとがデッキ部材２３に形成されている。なお、電極１４１、１４２は、ボード２０の延在方向と同一の方向に延在してデッキ部材２３上に設けられている。
【００３４】
図１に示すように、バインディング３０は、ベースプレート３１と、ボード２０に対するベースプレート３１の角度調整及び固定を行うためのセンターディスク３２と、使用者のブーツの爪先部分を固定するためのトゥストラップ３３と、使用者のブーツの足首部分を固定するためのアンクルストラップ３４と、使用者のブーツの後側を固定するためのハイバック３５とを備えている。ベースプレート３１及びセンターディスク３２は、足載部３０ａを構成している。また、センターディスク３２は、ボード２０のインサートホール２０ｂ（図４（ａ）参照。）に挿入される図示していないネジによって固定されている。なお、説明は省略するが、バインディング４０も同様の構成である。
【００３５】
図３（ｂ）に示すように、デッキパッド５０は、太陽電池１００を覆う位置にボード２０に対して取り外し可能になっている。なお、デッキパッド５０は、例えば再剥離可能な粘着剤によって太陽電池１００に取り付けられるようになっており、通常の滑走程度ではボード２０から脱落しないようになっている。
【００３６】
図４に示すように、ＬＥＤ６０〜６９は、ボード２０の滑走方向の前側であるノーズ２０ｃ側の接雪点２１ａと滑走方向の後側であるテール２０ｄ側の接雪点２１ｂとの間、即ち、接雪部に配置されている。即ち、ＬＥＤ６０〜６９は、接雪点間発光装置を構成している。ＬＥＤ６０〜６４は、ボード２０の滑走方向の左側に左側エッジ２４に沿って配置されている。ＬＥＤ６５〜６９は、ボード２０の滑走方向の右側に右側エッジ２５に沿って配置されている。ＬＥＤ７０は、ボード２０のノーズ２０ｃに配置されている。ＬＥＤ７１は、ボード２０のテール２０ｄに配置されている。また、ＬＥＤ６０〜７１は、図５に示すように、先端がソール部材２１に埋まってソール部材２１に覆われた状態でボード２０に内蔵されており、ソール部材２１を介してボード２０の外部を照射する位置に配置されている。なお、図５において、白抜きの矢印は、ＬＥＤ６０によって照射された光を表している。
【００３７】
図３に示すように、太陽電池１００は、デッキパッド５０が取り付けられる位置に設けられている。充電器１１０は、太陽電池１００と電気的に接続された状態で太陽電池１００に対してソール部材２１側に配置されており、ボード２０に埋め込まれている。
【００３８】
図６に示すように、スイッチ１２０は、バインディング３０（図１参照。）のセンターディスク３２に取り付けられており、自身が押されていないときにＬＥＤ６０〜７１（図２参照。）と充電器１１０（図２参照。）との電気的な接続を切断するようになっている。スイッチ１２０は、デッキ部材２３上に設けられた電極１４１、１４２に同時に接触することによって電極１４１、１４２を電気的に接続する金属製の接続部１２１と、接続部１２１に被せられて一部がセンターディスク３２の外部に突出したプラスチック製の被操作部１２２と、接続部１２１を被操作部１２２側に付勢したバネ１２３とを備えている。
【００３９】
次に、スノーボード１０の動作について説明する。
【００４０】
スノーボード１０は、デッキパッド５０が取り外された状態で太陽電池１００に太陽光などの光が当てられると、太陽電池１００によって電力を発生させて、発生させた電力を充電器１１０に蓄える。
【００４１】
使用者が滑走前に後足用のブーツを固定するために後足用のバインディング３０の足載部３０ａにブーツを載せると、スノーボード１０は、図７に示すように、スイッチ１２０の被操作部１２２がブーツ１５０によって押されてバネ１２３の付勢力に抗して接続部１２１とともに電極１４１、１４２側に移動する。そして、接続部１２１が電極１４１、１４２に接触すると、充電器１１０と、ＬＥＤ６０〜７１との間の電気回路が閉じて、充電器１１０からＬＥＤ６０〜７１に電力が供給される。ＬＥＤ６０〜７１は、電力が供給されると、発光してソール部材２１を介してボード２０の外部を照射する。したがって、ＬＥＤ６０〜７１から発せられてボード２０の外部に照射された光は、雪面などに反射して、後方滑走者に視認される。
【００４２】
使用者が雪の斜面を滑り降りると、スノーボード１０は、図８に示すように、ボード２０のノーズ２０ｃに配置されたＬＥＤ７０（図４（ｃ）参照。）と、ボード２０のテール２０ｄに配置されたＬＥＤ７１（図４（ｃ）参照。）とによって常に照明を行う。また、スノーボード１０は、使用者が右側エッジ２５を立てると、図８（ａ）及び図９（ａ）に示すように、ボード２０の滑走方向の右側に配置されたＬＥＤ６５〜６９（図４（ｃ）参照。）が雪１６０に隠れるのでＬＥＤ６５〜６９によって照明を行わず、ボード２０の滑走方向の左側に配置されたＬＥＤ６０〜６４（図４（ｃ）参照。）によって照明を行う。また、スノーボード１０は、使用者が左側エッジ２４及び右側エッジ２５の何れも立てないと、図８（ｂ）及び図９（ｂ）に示すように、ＬＥＤ６０〜６９（図４（ｃ）参照。）が雪１６０に隠れるので、ＬＥＤ６０〜６９によって照明を行わない。また、スノーボード１０は、使用者が左側エッジ２４を立てると、図８（ｃ）及び図９（ｃ）に示すように、ＬＥＤ６０〜６４（図４（ｃ）参照。）が雪１６０に隠れるので、ＬＥＤ６０〜６４によって照明を行わず、ＬＥＤ６５〜６９（図４（ｃ）参照。）によって照明を行う。即ち、スノーボード１０は、使用者がターンする度にＬＥＤ６０〜６９による照明を変化させる。なお、図８及び図９において、白抜きの矢印は、ＬＥＤ６０〜７１によって照射された光を表している。
【００４３】
使用者がリフトに乗るときなどに後足用のブーツをバインディング３０から外すと、スノーボード１０は、図６に示すように、バネ１２３の付勢力によって接続部１２１が電極１４１、１４２から離れ、充電器１１０と、ＬＥＤ６０〜７１との間の電気回路を開く。したがって、ＬＥＤ６０〜７１は、電力の供給が停止させられて、発光を停止する。
【００４４】
なお、スノーボード１０は、デッキパッド５０が取り付けられていれば、デッキパッド５０に後足のブーツを載せた状態で使用者に滑走させることもできる。
【００４５】
以上に説明したように、スノーボード１０は、使用者がターンする度に雪に覆われたり覆われなくなったりする接雪部に蓄光塗料と比較して光量を大きくすることができるＬＥＤ６０〜６９が設けられているので、変化に富んだ照明によって後方滑走者の注意を従来より適切に引き付けることができる。したがって、スノーボード１０は、例えば、使用者を後方滑走者に気付かせて接触事故を防止することができる。
【００４６】
また、スノーボード１０は、使用者がターンする度に雪に覆われたり覆われなくなったりする接雪部に蓄光塗料と比較して光量を大きくすることができるＬＥＤ６０〜６９が設けられているので、変化に富んだ照明によって従来より強く人目を引くことができ、例えば、ナイターにおけるエキシビションで演技を引き立たせることなどができる。
【００４７】
なお、ＬＥＤ６０〜６９は、ソール部材２１に覆われているので、接雪部に設けられていても滑走の支障になることはない。
【００４８】
また、スノーボード１０は、接雪部にＬＥＤ６０〜７１が設けられているので、ＬＥＤ６０〜７１がデッキのデザインに影響することを防止することができる。
【００４９】
スノーボード１０は、スイッチ１２０によって電気回路が閉じたときにＬＥＤ６０〜７１が常時点灯するようになっているが、ＬＥＤ６０〜７１が所定の点滅パターンで発光するようになっていれば、更に変化に富んだ照明を実現することができる。
【００５０】
また、スノーボード１０は、ボード２０の滑走方向の左側に配置されたＬＥＤ６０〜６４と、ボード２０の滑走方向の右側に配置されたＬＥＤ６５〜６９とによって使用者がターンする度に交互に照明を行うので、ボード２０の滑走方向の左右何れかの側にしかＬＥＤが配置されていない構成と比較して、後方滑走者の注意を強く引き付けることができる。なお、スノーボード１０は、ボード２０の滑走方向の左右の何れかの側にしかＬＥＤが配置されていなくても良い。
【００５１】
また、スノーボード１０は、ＬＥＤ６０〜７１の先端がソール部材２１に埋まっており、ＬＥＤ６０〜７１の先端の側面からもソール部材２１を介してスノーボード１０の外部に照射することができるので、ＬＥＤ６０〜７１の先端がソール部材２１に埋まっていない構成と比較して、ＬＥＤ６０〜７１による照射範囲を拡げることができ、後方滑走者の注意を強く引き付けることができる。
【００５２】
また、スノーボード１０は、ＬＥＤ６０〜７１の先端がソール部材２１に埋まっているので、ＬＥＤ６０〜７１の先端がソール部材２１に埋まっていない構成と比較して、ＬＥＤ６０〜７１の先端からスノーボード１０の外部までの距離が短い。即ち、ＬＥＤ６０〜７１の先端がソール部材２１に埋まっていない構成と比較して、ＬＥＤ６０〜７１から発せられた光が通過するソール部材２１の厚みが薄い。したがって、ＬＥＤ６０〜７１によってスノーボード１０の外部に照射される光の強度を上げることができ、後方滑走者の注意を強く引き付けることができる。
【００５３】
なお、スノーボード１０は、ＬＥＤ６０〜７１の先端がソール部材２１に埋まっていなくても良い。
【００５４】
また、スノーボード１０は、ＬＥＤ６０〜６９が後足用のバインディング３０と、前足用のバインディング４０との間に配置されてバインディング３０と、バインディング４０との間の幅を表示するので、バインディング３０と、バインディング４０との間の幅から使用者の体の幅を後方滑走者に認識させることができ、後方滑走者が霧などによって使用者の体を直接視認することができないときであっても後方滑走者に使用者の体への衝突を防止させることができる。
【００５５】
また、スノーボード１０は、バインディング３０の足載部３０ａにスイッチ１２０を備えているので、使用者が滑走していないときなど、使用者がバインディング３０から足を外しているときにＬＥＤ６０〜７１に電力が供給されないので、消費電力を抑えることができる。特に、スノーボード１０は、使用者がリフトに乗るときなど使用者が雪上を滑り降りないときにバインディング３０から使用者の後足が外されるので、使用者がリフトに乗るときもバインディングから使用者の足が外されないスキーと比較して、消費電力を効果的に抑えることができる。スノーボード１０は、電源が設置されるための空間が限られているので、大容量である大型の電源が設置されることが困難である。したがって、消費電力を抑えることができることはスノーボード１０において非常に好ましい。
【００５６】
なお、スイッチ１２０は、スノーボード１０に設けられたＬＥＤ６０〜７１と充電器１１０との電気的な接続状態を切り替えているが、ＬＥＤに限らずスノーボード１０に設けられる様々な装置と充電器１１０との電気的な接続状態を切り替えるようになっていても良い。例えば、雪面との摩擦抵抗を減らして滑走の速度を向上させるためにボード２０を発熱させる発熱装置がスノーボード１０に設けられている場合、スイッチ１２０は、発熱装置と充電器１１０との電気的な接続状態を切り替えるようになっていても良い。
【００５７】
また、スノーボード１０は、バインディング３０のセンターディスク３２にスイッチ１２０が設けられているが、使用者が載せたブーツによって押される位置にスイッチ１２０が設けられていれば良く、ベースプレート３１に設けられていても良い。スノーボード１０は、バインディング３０の足載部３０ａにスイッチ１２０を備えているので、スイッチ１２０がデッキのデザインに影響することを防止することができる。なお、スノーボード１０は、スイッチ１２０に代えて他のスイッチを備えていても良い。例えば、スノーボード１０は、スイッチ１２０に代えてデッキ部材２３上にトグルスイッチを備えていても良い。また、スノーボード１０は、携帯電話機などの携帯端末から発せられた赤外線に応じて切り替わるスイッチをスイッチ１２０に代えて備えていても良い。
【００５８】
なお、スノーボード１０は、スイッチを備えずに充電器１１０からＬＥＤ６０〜７１に常に電力が供給されるようになっていても良い。
【００５９】
また、スノーボード１０は、太陽電池１００を覆う位置にボード２０に対して取り外し可能であるデッキパッド５０を備えているので、太陽電池１００がデッキのデザインに影響することを防止することができる。なお、スノーボード１０は、デッキパッド５０の取り付け位置とは別の位置に太陽電池１００が配置されるようになっていても良い。
【００６０】
また、スノーボード１０は、太陽電池１００及び充電器１１０を電源として備えているが、太陽電池１００及び充電器１１０以外の電源を備えていても良い。例えば、スノーボード１０は、太陽電池１００及び充電器１１０に代えて乾電池を備えていても良いし、ボード２０が受けた振動によって発電する圧電素子を太陽電池１００に代えて備えていても良い。
【００６１】
なお、本実施の形態においては、雪上滑走用具としてスノーボードについて説明したが、本発明によれば、雪上滑走用具としては、スキーなど、スノーボード以外のものであっても良い。
【図面の簡単な説明】
【００６２】
【図１】本発明の一実施の形態に係るスノーボードの外観斜視図であって、後足用のバインディングのトゥストラップの一部を破断させた図
【図２】図１に示すボードの底面図であって、ボードの内部の配線を表した図
【図３】（ａ）図２に示すボードの上面図であって、デッキパッドが取り除かれた状態での図  （ｂ）図２に示すボードの側面断面図であって、デッキパッドが取り外された状態での図
【図４】（ａ）図２に示すボードの上面図  （ｂ）図２に示すボードの側面図  （ｃ）図２に示すボードの底面図
【図５】図２に示すボードの一部の断面図であって、ＬＥＤの近傍の図
【図６】（ａ）使用者のブーツが後足用のバインディングの足載部に載せられていない状態での図１のＩ−Ｉ矢視断面図  （ｂ）図６（ａ）のＩＩ−ＩＩ矢視断面図
【図７】使用者のブーツが後足用のバインディングの足載部に載せられている状態での図１のＩ−Ｉ矢視断面図
【図８】（ａ）図２に示すボードの上面図であって、使用者が右側エッジを立てて滑走しているときのＬＥＤによる照明の状態を表す図  （ｂ）図２に示すボードの上面図であって、使用者がエッジを立てずに滑走しているときのＬＥＤによる照明の状態を表す図  （ｃ）図２に示すボードの上面図であって、使用者が左側エッジを立てて滑走しているときのＬＥＤによる照明の状態を表す図
【図９】（ａ）図２に示すボードの正面断面図であって、使用者が右側エッジを立てて滑走しているときのＬＥＤによる照明の状態を表す図  （ｂ）図２に示すボードの正面断面図であって、使用者がエッジを立てずに滑走しているときのＬＥＤによる照明の状態を表す図  （ｃ）図２に示すボードの正面断面図であって、使用者が左側エッジを立てて滑走しているときのＬＥＤによる照明の状態を表す図
【図１０】従来の雪上滑走用具の使用状態を表す図
【符号の説明】
【００６３】
１０  スノーボード（雪上滑走用具）
２０  ボード（本体）
２１  ソール部材
２１ａ  接雪点（前側の接雪点）
２１ｂ  接雪点（後側の接雪点）
３０  バインディング（後足用のバインディング）
３０ａ  足載部
４０  バインディング（前足用のバインディング）
５０  デッキパッド
６０〜６９  ＬＥＤ（接雪点間発光装置）
１００  太陽電池（電源）
１１０  充電器（電源）
１２０  スイッチ
【図１】
2007296155.tif 000003
【図２】
2007296155.tif 000004
【図３】
2007296155.tif 000005
【図４】
2007296155.tif 000006
【図５】
2007296155.tif 000007
【図６】
2007296155.tif 000008
【図７】
2007296155.tif 000009
【図８】
2007296155.tif 000010
【図９】
2007296155.tif 000011
【図１０】
2007296155.tif 000012
【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
ソール部材を有した本体と、前記本体の滑走方向の前側の接雪点と滑走方向の後側の接雪点との間に配置されて電力によって発光する接雪点間発光装置とを備えた雪上滑走用具であって、
前記ソール部材は、透光性であって、前記接雪点間発光装置を覆い、
前記接雪点間発光装置は、前記ソール部材を介して前記本体の外部を照射する位置に配置されたことを特徴とする雪上滑走用具。
【請求項２】
前記接雪点間発光装置は、前記本体の滑走方向の左右両側に配置されたことを特徴とする請求項１に記載の雪上滑走用具。
【請求項３】
前記接雪点間発光装置は、先端が前記ソール部材に埋まっていることを特徴とする請求項１に記載の雪上滑走用具。
【請求項４】
前記雪上滑走用具は、使用者の前足を固定するために前記本体に固定された前足用のバインディングと、前記使用者の後足を固定するために前記本体に固定された後足用のバインディングとを備えたスノーボードであり、
前記接雪点間発光装置は、前記前足用のバインディングと、前記後足用のバインディングとの間に配置されて前記前足用のバインディングと、前記後足用のバインディングとの間の幅を表示することを特徴とする請求項１に記載の雪上滑走用具。
【請求項５】
前記雪上滑走用具は、使用者の足を固定するために前記本体に固定されたバインディングと、前記バインディングから外された前記使用者の後足を載せるためのデッキパッドと、前記電力を発生させるための太陽電池とを備えたスノーボードであり、
前記デッキパッドは、前記太陽電池を覆う位置に前記本体に対して取り外し可能であることを特徴とする請求項１に記載の雪上滑走用具。
【手続補正２】
【補正対象書類名】明細書
【補正対象項目名】００１３
【補正方法】変更
【補正の内容】
【００１３】
本発明の雪上滑走用具は、ソール部材を有した本体と、前記本体の滑走方向の前側の接雪点と滑走方向の後側の接雪点との間に配置されて電力によって発光する接雪点間発光装置とを備えた雪上滑走用具であって、前記ソール部材は、透光性であって、前記接雪点間発光装置を覆い、前記接雪点間発光装置は、前記ソール部材を介して前記本体の外部を照射する位置に配置されたことを特徴とする。
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
ソール部材を有した本体と、前記本体の滑走方向の前側の接雪点と滑走方向の後側の接雪点との間に配置されて電力によって発光する接雪点間発光装置と、使用者の前足を固定するために前記本体に固定された前足用のバインディングと、前記使用者の後足を固定するために前記本体に固定された後足用のバインディングとを備え、
前記ソール部材は、透光性であって、前記接雪点間発光装置を覆い、
前記接雪点間発光装置は、前記ソール部材を介して前記本体の外部を照射する位置に配置されるとともに、前記前足用のバインディングと、前記後足用のバインディングとの間に配置されて前記前足用のバインディングと、前記後足用のバインディングとの間の幅を表示することを特徴とするスノーボード。
【請求項２】
前記接雪点間発光装置は、前記本体の滑走方向の左右両側に配置されたことを特徴とする請求項１に記載のスノーボード。
【請求項３】
前記接雪点間発光装置は、先端が前記ソール部材に埋まっていることを特徴とする請求項１に記載のスノーボード。
【手続補正３】
【補正対象書類名】明細書
【補正対象項目名】０００１
【補正方法】変更
【補正の内容】
【０００１】
本発明は、雪上を滑走するために使用されるスノーボードに関する。
【手続補正４】
【補正対象書類名】明細書
【補正対象項目名】００１２
【補正方法】変更
【補正の内容】
【００１２】
本発明は、従来の問題を解決するためになされたもので、後方滑走者の注意を従来より適切に引き付けることができるスノーボードを提供することを目的とする。
【手続補正５】
【補正対象書類名】明細書
【補正対象項目名】００１３
【補正方法】変更
【補正の内容】
【００１３】
本発明のスノーボードは、ソール部材を有した本体と、前記本体の滑走方向の前側の接雪点と滑走方向の後側の接雪点との間に配置されて電力によって発光する接雪点間発光装置と、使用者の前足を固定するために前記本体に固定された前足用のバインディングと、前記使用者の後足を固定するために前記本体に固定された後足用のバインディングとを備え、前記ソール部材は、透光性であって、前記接雪点間発光装置を覆い、前記接雪点間発光装置は、前記ソール部材を介して前記本体の外部を照射する位置に配置されるとともに、前記前足用のバインディングと、前記後足用のバインディングとの間に配置されて前記前足用のバインディングと、前記後足用のバインディングとの間の幅を表示することを特徴とする。
【手続補正６】
【補正対象書類名】明細書
【補正対象項目名】００１４
【補正方法】変更
【補正の内容】
【００１４】
この構成により、本発明のスノーボードは、使用者がターンする度に雪に覆われたり覆われなくなったりする接雪部に蓄光塗料と比較して光量を大きくすることができる接雪点間発光装置が設けられているので、変化に富んだ照明によって後方滑走者の注意を従来より適切に引き付けることができる。なお、接雪点間発光装置は、ソール部材に覆われているので、接雪部に設けられていても滑走の支障になることはない。また、本発明のスノーボードは、前足用のバインディングと、後足用のバインディングとの間の幅から使用者の体の幅を後方滑走者に認識させることができるので、後方滑走者が霧などによって使用者の体を直接視認することができないときであっても後方滑走者に使用者の体への衝突を防止させることができる。
【手続補正７】
【補正対象書類名】明細書
【補正対象項目名】００１５
【補正方法】変更
【補正の内容】
【００１５】
また、本発明のスノーボードの前記接雪点間発光装置は、前記本体の滑走方向の左右両側に配置されたことを特徴とする。
【手続補正８】
【補正対象書類名】明細書
【補正対象項目名】００１６
【補正方法】変更
【補正の内容】
【００１６】
この構成により、本発明のスノーボードは、本体の滑走方向の左側に配置された接雪点間発光装置と、本体の滑走方向の右側に配置された接雪点間発光装置とによって使用者がターンする度に交互に照明を行うので、本体の滑走方向の左右何れかの側にしか接雪点間発光装置が配置されていない構成と比較して、後方滑走者の注意を強く引き付けることができる。
【手続補正９】
【補正対象書類名】明細書
【補正対象項目名】００１７
【補正方法】変更
【補正の内容】
【００１７】
また、本発明のスノーボードの前記接雪点間発光装置は、先端が前記ソール部材に埋まっていることを特徴とする。
【手続補正１０】
【補正対象書類名】明細書
【補正対象項目名】００１８
【補正方法】変更
【補正の内容】
【００１８】
この構成により、本発明のスノーボードは、接雪点間発光装置の先端の側面からもソール部材を介して外部に照射することができるので、先端がソール部材に埋まっていない構成と比較して、接雪点間発光装置による照射範囲を拡げることができ、後方滑走者の注意を強く引き付けることができる。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】変更
【補正の内容】
【００２７】
本発明によれば、後方滑走者の注意を従来より適切に引き付けることができるスノーボードを提供することができる。
【手続補正１６】
【補正対象書類名】明細書
【補正対象項目名】００２９
【補正方法】変更
【補正の内容】
【００２９】
まず、本実施の形態に係るスノーボードの構成について説明する。
【手続補正１７】
【補正対象書類名】明細書
【補正対象項目名】００３０
【補正方法】変更
【補正の内容】
【００３０】
図１に示すように、本実施の形態に係るスノーボード１０は、本体であるボード２０と、使用者の後足のブーツを載せるための足載部３０ａを有しボード２０に固定された後足用のバインディング３０と、ボード２０に固定された前足用のバインディング４０と、バインディング３０から外された使用者の後足のブーツを載せるためのデッキパッド５０とを備えている。
【手続補正１８】
【補正対象書類名】明細書
【補正対象項目名】００６１
【補正方法】削除
【補正の内容】
【手続補正１９】
【補正対象書類名】明細書
【補正対象項目名】００６３
【補正方法】変更
【補正の内容】
【００６３】
１０  スノーボード
２０  ボード（本体）
２１  ソール部材
２１ａ  接雪点（前側の接雪点）
２１ｂ  接雪点（後側の接雪点）
３０  バインディング（後足用のバインディング）
３０ａ  足載部
４０  バインディング（前足用のバインディング）
５０  デッキパッド
６０〜６９  ＬＥＤ（接雪点間発光装置）
１００  太陽電池（電源）
１１０  充電器（電源）
１２０  スイッチ